(57)【要約】【課題】小型軽量化を図りつつ光学性能を向上させることができる撮像レンズを提供する。【解決手段】物体側から像面側に向かって順に、絞り２、物体側に凸面を向けた正のパワーを有するメニスカスレンズとされた第１レンズ３、および物体側に凹面を向けた負のパワーを有するレンズとされた第２レンズ４を配設し、０．２５＜ｒ１／ｒ２≦０．４５、０．３５≦ｒ１／ＦＬ≦０．４２、０．８５≦ｆ１／ＦＬ≦１（但し、ｒ１：第１レンズの物体側の面の中心曲率半径、ｒ２：第１レンズの像面側の面の中心曲率半径、ＦＬ：レンズ系全体の焦点距離、ｆ１：第１レンズの焦点距離）を満足すること。【選択図】図１
2010101942.tif 000002
【特許請求の範囲】
【請求項１】
固体撮像素子の撮像面に物体の像を結像させるために使用される撮像レンズであって、
物体側から像面側に向かって順に、絞り、物体側に凸面を向けた正のパワーを有するメニスカスレンズとされた第１レンズ、および物体側に凹面を向けた負のパワーを有するレンズとされた第２レンズを配設し、次の（１）〜（３）に示す各条件式、
０．２５＜ｒ１／ｒ２≦０．４５     （１）
０．３５≦ｒ１／ＦＬ≦０．４２    （２）
０．８５≦ｆ１／ＦＬ≦１          （３）
但し、
ｒ１：第１レンズの物体側の面の中心曲率半径
ｒ２：第１レンズの像面側の面の中心曲率半径
ＦＬ：レンズ系全体の焦点距離
ｆ１：第１レンズの焦点距離
を満足することを特徴とする撮像レンズ。
【請求項２】
更に、次の（４）に示す条件式、
０．６≦ｄ２／ｄ１≦１．２５      （４）
但し、
ｄ１：第１レンズの中心厚
ｄ２：光軸上における第１レンズと第２レンズとの間隔
を満足することを特徴とする請求項１に記載の撮像レンズ。
【請求項３】
更に、次の（５）に示す条件式、
０．６５≦ｄ２／ｄ３≦１．１      （５）
但し、
ｄ２：光軸上における第１レンズと第２レンズとの間隔
ｄ３：第２レンズの中心厚
を満足することを特徴とする請求項１または２に記載の撮像レンズ。
【請求項４】
更に、次の（６）に示す条件式、
０．１≦ｄ１／ＦＬ≦０．３      （６）
但し、
ｄ１：第１レンズの中心厚
を満足することを特徴とする請求項１〜３のいずれか１項に記載の撮像レンズ。
【請求項５】
更に、次の（７）に示す条件式、
０．１≦ｄ３／ＦＬ≦０．３      （７）
但し、
ｄ３：第２レンズの中心厚
を満足することを特徴とする請求項１〜４のいずれか１項に記載の撮像レンズ。
【請求項６】
更に、次の（８）に示す条件式、
０．９≦Ｌ／ＦＬ≦１．２      （８）
但し、
Ｌ：レンズ系の全長（最も物体側の面から撮像面までの光軸上の距離：空気換算長）
を満足することを特徴とする請求項１〜５のいずれか１項に記載の撮像レンズ。
【発明の詳細な説明】
【技術分野】
【０００１】
本発明は、撮像レンズに係り、特に、携帯型のコンピュータ、テレビ電話、携帯電話等に搭載されるＣＣＤ、ＣＭＯＳ等の固体撮像素子の撮像面に、風景や人物等の物体の像を結像させる撮像装置に用いられ、小型軽量化および光学性能の向上を図ることを可能とした２枚レンズ構成の撮像レンズに関する。
【背景技術】
【０００２】
近年、例えば、携帯電話、携帯型のコンピュータやテレビ電話等に搭載するためのＣＣＤ、ＣＭＯＳ等の固体撮像素子を利用したカメラの需要が著しく高まっている。このようなカメラは、限られた設置スペースに搭載する必要があることから、小型であり、かつ、軽量であることが望まれている。
【０００３】
さらに、最近においては、１００万画素を超えるような高解像度の固体撮像素子の解像能力を十分に発揮させることが可能な良好な光学性能を有するレンズ系が求められており、小型軽量化と光学性能の向上とをバランスさせることが益々重要になっている。
【０００４】
このような観点からは、３枚構成のレンズ系よりも小型軽量化に優れ、１枚構成のレンズ系よりも光学性能に優れた２枚構成のレンズ系が有利であり、これまでにも、このような２枚構成のレンズ系としては、例えば、特許文献１〜６に示すようなレンズ系が提案されている。
【０００５】
【特許文献１】特開２００４−２５２０６７号公報（特に、実施例１参照）
【特許文献２】特開２００４−１７７６２８号公報（特に、実施例４、５参照）
【特許文献３】特許第４０７４２０３号（特に、実施例１参照）
【特許文献４】特許第４０７１８１７号
【特許文献５】特許第４０６４４３４号
【特許文献６】特開２００４−１７０４６０号公報
【発明の開示】
【発明が解決しようとする課題】
【０００６】
しかしながら、特許文献１〜３に記載のレンズ系は、いずれも、第２レンズが正のパワーを持つレンズとされており、第１レンズとのパワーの組み合わせによる効果的な収差補正が困難であるといった欠点を有している。
【０００７】
さらに、特許文献４〜６に記載のレンズ系は、第１レンズの物体側の面と像面側の面との曲率のバランスが悪く、小型軽量化と良好な光学性能の維持とを両立させることが困難であるといった欠点を有している。
【０００８】
そこで、本発明はこのような点に鑑みなされたもので、小型軽量化を図りつつ光学性能を向上させることができる撮像レンズを提供することを目的とするものである。
【課題を解決するための手段】
【０００９】
前述した目的を達成するため、本発明の請求項１に係る撮像レンズの特徴は、固体撮像素子の撮像面に物体の像を結像させるために使用される撮像レンズであって、物体側から像面側に向かって順に、絞り、物体側に凸面を向けた正のパワーを有するメニスカスレンズとされた第１レンズ、および物体側に凹面を向けた負のパワーを有するレンズとされた第２レンズを配設し、次の（１）〜（３）に示す各条件式、
０．２５＜ｒ１／ｒ２≦０．４５     （１）
０．３５≦ｒ１／ＦＬ≦０．４２    （２）
０．８５≦ｆ１／ＦＬ≦１          （３）
但し、
ｒ１：第１レンズの物体側の面の中心曲率半径
ｒ２：第１レンズの像面側の面の中心曲率半径
ＦＬ：レンズ系全体の焦点距離
ｆ１：第１レンズの焦点距離
を満足する点にある。
【００１０】
なお、本発明において、絞りを最も物体側に配置することは、絞りを第１レンズの物体側の面（凸面）の光軸上の点（以下、面頂と称する）と光軸方向における同一の位置に配置すること、または、第１レンズの物体側の面の面頂およびその近傍部分が絞りを通して絞りよりも物体側に位置（突出）することを妨げない。その場合であっても、物理的な配置としては絞りが第１レンズ全体よりも物体側に配置されるといえるので、特許請求の範囲の記載に反するものとはならない。また、光学系の小型化のためには、絞りが第１レンズの物体側の面の面頂よりも像面側にあることが望ましい。
【００１１】
そして、この請求項１に係る発明によれば、最も物体側に絞りを配置し、第１レンズを物体側に凸の正メニスカスレンズに形成し、第２レンズを物体側に凹面を向けた負レンズに形成し、（１）〜（３）の各条件式を満たすようにすることにより、小型軽量化を図りつつ、テレセントリック性を確保し、収差を有効に補正して光学性能を向上させることが可能となり、さらに、製造性を向上させることが可能となる。なお、製造性とは、撮像レンズを大量生産する場合の製造性（例えば、射出成形により、撮像レンズを大量生産する場合の成形性やコスト等）である意の他、撮像レンズを製造するために使用される設備の加工、製作等の容易性（例えば、射出成形に用いる金型の加工の容易性等）である意も含む（以下、同様）。
【００１２】
また、請求項２に係る撮像レンズの特徴は、請求項１において、更に、次の（４）に示す条件式、
０．６≦ｄ２／ｄ１≦１．２５      （４）
但し、
ｄ１：第１レンズの中心厚
ｄ２：光軸上における第１レンズと第２レンズとの間隔
を満足する点にある。
【００１３】
そして、この請求項２に係る発明によれば、更に（４）の条件式を満たすようにすることにより、製造性を維持しつつ不要光を有効に遮蔽するための手段を適切に講じることが可能となる。
【００１４】
さらに、請求項３に係る撮像レンズの特徴は、請求項１または２において、更に、次の（５）に示す条件式、
０．６５≦ｄ２／ｄ３≦１．１      （５）
但し、
ｄ２：光軸上における第１レンズと第２レンズとの間隔
ｄ３：第２レンズの中心厚
を満足する点にある。
【００１５】
そして、この請求項３に係る発明によれば、更に（５）の条件を満たすようにすることにより、製造性を確保しつつ不要光を効果的に遮蔽するための手段を適切に講じることが可能となる。
【００１６】
さらにまた、請求項４に係る撮像レンズの特徴は、請求項１〜３のいずれか１項において、更に、次の（６）に示す条件式、
０．１≦ｄ１／ＦＬ≦０．３      （６）
但し、
ｄ１：第１レンズの中心厚
を満足する点にある。
【００１７】
そして、この請求項４に係る発明によれば、更に（６）の条件式を満たすようにすることにより、小型軽量化と製造性の維持とを良好にバランスさせることが可能となる。
【００１８】
また、請求項５に係る撮像レンズの特徴は、請求項１〜４のいずれか１項において、
更に、次の（７）に示す条件式、
０．１≦ｄ３／ＦＬ≦０．３      （７）
但し、
ｄ３：第２レンズの中心厚
を満足する点にある。
【００１９】
そして、この請求項５に係る発明によれば、更に（７）の条件式を満たすようにすることにより、小型軽量化を図りつつ製造性を維持することが可能となる。
【００２０】
さらに、請求項６に係る撮像レンズの特徴は、請求項１〜５のいずれか１項において、更に、次の（８）に示す条件式、
０．９≦Ｌ／ＦＬ≦１．２      （８）
但し、
Ｌ：レンズ系の全長（最も物体側の面から撮像面までの光軸上の距離：空気換算長）
を満足する点にある。
【００２１】
そして、この請求項６に係る発明によれば、更に（８）の条件式を満たすようにすることにより、小型軽量化と製造性の維持とのバランスを取ることができる。
【発明の効果】
【００２２】
本発明の撮像レンズによれば、小型軽量化を図りつつ光学性能を向上させることができる。
【発明を実施するための最良の形態】
【００２３】
以下、本発明に係る撮像レンズの実施形態について、図１を参照して説明する。
【００２４】
本実施形態における撮像レンズ１は、図１に示すように、物体側から像面側に向かって順に、絞り２と、物体側に凸面を向けた正のパワーを有するメニスカスレンズとされた樹脂製の第１レンズ３と、物体側に凹面を向けた負のパワーを有するレンズとされた樹脂製の第２レンズ４とを有している。
【００２５】
以下、第１レンズ３および第２レンズ４における物体側および像面側の各レンズ面を、それぞれ第１面、第２面と称することとする。
【００２６】
また、第２レンズ４の第２面側には、ＣＣＤあるいはＣＭＯＳ等の固体撮像素子の受光面である撮像面５が配設されており、この撮像面５には、レンズ３、４によって収束された物体側からの入射光を介して物体の像が結像されるようになっている。
【００２７】
なお、第２レンズ４の第２面と撮像面５との間に、必要に応じてカバーガラス、ＩＲカットフィルタ、ローパスフィルタ等の各種フィルタを配置してもよい。また、第１レンズ３、第２レンズ４の各レンズ面のうち、第１レンズ３の第２面３ｂ等のいずれか１つのレンズ面または複数のレンズ面にＩＲカットフィルタを形成してもよい。
【００２８】
このように、本実施形態においては、絞り２を最も物体側に配置して射出瞳位置を撮像面５から遠くに位置させることによって高いテレセントリック性を確保することができるため、固体撮像素子のセンサに対する光線の入射角度を緩和することができる。
【００２９】
また、本実施形態においては、物体側に凸の正メニスカスレンズとされた第１レンズ３に対して、第２レンズ４が負のパワーのレンズであることにより、第１レンズ３とのパワーの組み合わせによる効果的な収差補正が可能となる。
【００３０】
さらに、本実施形態においては、次の（１）〜（３）に示す各条件式を満足するようにする。
【００３１】
０．２５＜ｒ１／ｒ２≦０．４５     （１）
０．３５≦ｒ１／ＦＬ≦０．４２    （２）
０．８５≦ｆ１／ＦＬ≦１          （３）
但し、（１）式および（２）式におけるｒ１は、第１レンズ３の第１面３ａの中心曲率半径である（以下、同様）。また、（１）式におけるｒ２は、第１レンズ３の第２面３ｂの中心曲率半径である（以下、同様）。さらに、（２）式および（３）式におけるＦＬは、レンズ系全体の焦点距離である（以下、同様）。さらにまた、（３）式におけるｆ１は、第１レンズ３の焦点距離である（以下、同様）。
【００３２】
ここで、ｒ１／ｒ２の値が（１）式に示す値（０．２５）以下になると、第１レンズ３の第２面３ｂにおける収差補正効果が弱くなり、光学系全体の小型軽量化を確保しながら所望の光学性能を得ることが困難となる。一方、ｒ１／ｒ２の値が（１）式に示す値（０．４５）よりも大きくなると、第１レンズ３の第１面３ａおよび第２面３ｂの双方の中心曲率半径が小さくなり過ぎることになり、第１レンズ３を射出成形によって製造する場合における射出成形用金型の製造が困難となり、光学系全体の小型軽量化を確保することができなくなる。
【００３３】
また、ｒ１／ＦＬの値が（２）式に示す値（０．３５）よりも小さくなると、第１レンズ３の中心曲率半径が小さくなり過ぎることになり、第１レンズ３の製造が困難となる。一方、ｒ１／ＦＬの値が（２）式に示す値（０．４２）よりも大きくなると、光学系全体が大きくなり過ぎることになり、小型軽量化が困難となる。
【００３４】
さらに、ｆ１／ＦＬの値が（３）式に示す値（０．８５）よりも小さくなると、光学系全体のパワーに比して第１レンズ３のパワーが大きくなり過ぎることになり、所望の光学性能を得ることが困難となる。一方、ｆ１／ＦＬの値が（３）式に示す値（１）よりも大きくなると、光学系全体のパワーに比して第１レンズ３のパワーが小さくなり過ぎることになり、光学系全体の小型軽量化が困難となる。
【００３５】
したがって、本実施形態によれば、ｒ１／ｒ２の値を（１）の条件式を満たすようにし、また、ｒ１／ＦＬの値を（２）の条件式を満たすようにし、さらに、ｆ１／ＦＬの値を（３）の条件式を満たすようにすることにより、小型軽量化を図りつつ、テレセントリック性を確保し、収差を有効に補正して光学性能を向上させることが可能となり、さらに、製造性を向上させることが可能となる。
【００３６】
なお、ｒ１とｒ２との関係は、０．２９＜ｒ１／ｒ２≦０．４とされることが、より好ましい。
【００３７】
また、ｒ１とＦＬとの関係は、０．３５≦ｒ１／ＦＬ＜０．４とされることが、より好ましい。
【００３８】
さらに、ｆ１とＦＬとの関係は、０．９≦ｆ１／ＦＬ≦１とされることが、より好ましい。
【００３９】
より好ましい実施形態としては、更に、次の（４）に示す条件式を満足するようにする。
【００４０】
０．６≦ｄ２／ｄ１≦１．２５      （４）
但し、（４）式におけるｄ１は、第１レンズ３の中心厚である（以下、同様）。また、（４）式におけるｄ２は、光軸６上における第１レンズ３と第２レンズ４との間隔である（以下、同様）。
【００４１】
ここで、ｄ２／ｄ１の値が（４）式に示す値（０．６）よりも小さくなると、第１レンズ３と第２レンズ４との間の間隔が狭くなり、第１レンズ３と第２レンズ４との間に不要光を有効に遮蔽するための遮蔽板等を挿入することが困難となる。また、第１レンズ３、第２レンズ４のそれぞれの光学面のエッジ部が互いに接近し過ぎることになり、不要光の発生を助長することとなる。一方、ｄ２／ｄ１の値が（４）式に示す値（１．２５）よりも大きくなると、第１レンズ３の中心厚が小さくなり過ぎることになり、第１レンズ３を射出成形によって製造する場合における第１レンズ３の製造が困難となる。
【００４２】
したがって、ｄ２／ｄ１の値を（４）の条件式を満たすようにすれば、製造性を維持しつつ不要光を有効に遮蔽するための手段を適切に講じることが可能となる。
【００４３】
なお、ｄ１とｄ２との関係は、０．６５≦ｄ２／ｄ１≦１．１とされることが、より好ましい。
【００４４】
より好ましい実施形態としては、更に、次の（５）に示す条件式を満足するようにする。
【００４５】
０．６５≦ｄ２／ｄ３≦１．１      （５）
但し、（５）式におけるｄ３は、第２レンズ４の中心厚である（以下、同様）。
【００４６】
ここで、ｄ２／ｄ３の値が（５）式に示す値（０．６５）よりも小さくなると、第１レンズ３と第２レンズ４との間の間隔が狭くなり、第１レンズ３と第２レンズ４との間に不要光を効果的に遮蔽するための遮蔽板等を挿入することが困難となる。また、第１レンズ３、第２レンズ４のそれぞれの光学面のエッジ部が互いに接近し過ぎることになり、不要光の発生を助長することとなる。一方、ｄ２／ｄ３の値が（５）式に示す値（１．１）よりも大きくなると、第２レンズ４の中心厚が小さくなり過ぎることになり、第２レンズ４を射出成形によって製造する場合における第２レンズ４の製造が困難となる。
【００４７】
したがって、ｄ２／ｄ３の値を（５）の条件式を満たすようにすれば、製造性を確保しつつ不要光を効果的に遮蔽するための手段を適切に講じることが可能となる。
【００４８】
なお、ｄ２とｄ３との関係は、０．６５≦ｄ２／ｄ３≦１とされることが、より好ましい。
【００４９】
より好ましい実施形態としては、更に、次の（６）に示す条件式を満足するようにする。
【００５０】
０．１≦ｄ１／ＦＬ≦０．３      （６）
ここで、ｄ１／ＦＬの値が（６）式に示す値（０．１）よりも小さくなると、第１レンズ３の中心厚が小さくなり過ぎることになり、第１レンズ３を射出成形によって製造する場合における第１レンズ３の製造が困難となる。一方、ｄ１／ＦＬの値が（６）式に示す値（０．３）よりも大きくなると、光学系の全長に比して第１レンズ３の中心厚が大きくなり過ぎることになり、小型軽量化が困難となる。
【００５１】
したがって、ｄ１／ＦＬの値を（６）の条件式を満たすようにすれば、小型軽量化と製造性の維持とをさらに良好にバランスさせることが可能となる。
【００５２】
なお、ｄ１とＦＬとの関係は、０．１５≦ｄ１／ＦＬ≦０．３とされることが、より好ましい。
【００５３】
より好ましい実施形態としては、更に、次の（７）に示す条件式を満足するようにする。
【００５４】
０．１≦ｄ３／ＦＬ≦０．３      （７）
ここで、ｄ３／ＦＬの値が（７）式に示す値（０．１）よりも小さくなると、第２レンズ４の中心厚が小さくなり過ぎることになり、第２レンズ４を射出成形によって製造する場合における第２レンズ４の製造が困難となる。一方、ｄ３／ＦＬの値が（７）式に示す値（０．３）よりも大きくなると、光学系の全長に比して第２レンズ４の中心厚が大きくなり過ぎることになり、小型軽量化が困難となる。
【００５５】
したがって、ｄ３／ＦＬの値を（７）の条件式を満たすようにすれば、さらに有効に小型軽量化を図りつつ製造性を維持することが可能となる。
【００５６】
なお、ｄ３とＦＬとの関係は、０．１５≦ｄ３／ＦＬ≦０．３とされることが、より好ましい。
【００５７】
より好ましい実施形態としては、更に、次の（８）に示す条件式を満足するようにする。
【００５８】
０．９≦Ｌ／ＦＬ≦１．２      （８）
但し、（８）式におけるＬは、レンズ系の全長、すなわち、最も物体側の面から撮像面５までの光軸６上の距離（空気換算長）である（以下、同様）。
【００５９】
ここで、Ｌ／ＦＬの値が（８）式に示す値（０．９）よりも小さくなると、光学系の全長が小さくなり過ぎることになり、各レンズ３、４を組み立てる工程における製造性が低下することとなる。一方、Ｌ／ＦＬの値が（８）式に示す値（１．２）よりも大きくなると、光学系の全長が大きくなり過ぎることになり、携帯電話機等の小型カメラに搭載することが困難となる。
【００６０】
したがって、Ｌ／ＦＬの値を（８）の条件式を満たすようにすれば、さらに有効に小型軽量化と製造性の維持とのバランスを取ることができる。
【００６１】
なお、ＬとＦＬとの関係は、１≦Ｌ／ＦＬ≦１．２とされることが、より好ましい。
【００６２】
さらに、第１レンズ３および第２レンズ４を成形するための樹脂材料は、アクリル、ポリカーボネート、非晶質ポリオレフィン樹脂等、光学部品の成形に用いられる透明性を有するものであればどのような組成を有するものであってもよいが、製造効率のさらなる向上および製造コストのさらなる低廉化の観点からは、両レンズ３、４の樹脂材料を同一の樹脂材料に統一することが望ましい。
【実施例】
【００６３】
次に、本発明の実施例について、図２乃至図２７を参照して説明する。
【００６４】
ここで、本実施例において、Ｆｎｏは、Ｆナンバー、ｒ は、光学面の曲率半径（レンズの場合は中心曲率半径）を示す。また、ｄは、次の光学面までの光軸６上の距離を示す。また、ｎｄは、ｄ線（黄色）を照射した場合における各光学系の屈折率、νｄは、同じくｄ線の場合における各光学系のアッベ数を示す。
【００６５】
ｋ、Ａ、Ｂ、Ｃ、Ｄは、次の（９）式における各係数を示す。すなわち、レンズの非球面の形状は、光軸６方向にＺ軸、光軸６に直交する方向にＸ軸をとり、光の進行方向を正とし、ｋを円錐係数、Ａ、Ｂ、Ｃ、Ｄを非球面係数、ｒを曲率半径としたとき次式で表される。
【００６６】
Ｚ（Ｘ）＝ｒ−１ Ｘ２ ／［１＋｛１−（ｋ＋１）ｒ−２ Ｘ２  ｝１／２ ］
＋ＡＸ４  ＋ＢＸ６  ＋ＣＸ８ ＋ＤＸ１０         （９）
また、以下の実施例において、円錐係数および非球面係数を表す数値に用いられる記号Ｅは、その次に続く数値が１０を底としたべき指数であることを示し、その１０を底としたべき指数で表される数値が、Ｅの前の数値に乗算されることを示す。例えば、７．９３Ｅ＋１は、７．９３×１０１であることを示す。
【００６７】
＜第１実施例＞
図２は、本発明の第１実施例を示したものであり、本実施例のレンズ１は、図１に示した構成のレンズ１と同一のレンズ１である。本実施例においては、第１レンズ３の第１面３ａの面頂（光軸６との交点）およびその近傍部分が絞り２を通して最も物体側に位置している。
【００６８】
この第１実施例の撮像レンズ１は、以下の条件に設定されている。
【００６９】
レンズデータ
Ｌ＝１．６７ｍｍ、ＦＬ＝１．４７７ｍｍ、ｆ１＝１．４４４ｍｍ、ｆ２＝−３６．２６ｍｍ、Ｆｎｏ＝２．８
面番号                     ｒ          ｄ        ｎｄ        νｄ
（物点）
１（絞り）                 ∞       -0.040
２（第１レンズ第１面）    0.615       0.380       1.531         56.0
３（第１レンズ第２面）    2.400       0.260
４（第２レンズ第１面）  -24.000       0.390       1.531         56.0
５（第２レンズ第２面）  100.000
（像面）
面番号   ｋ           Ａ           Ｂ          Ｃ         Ｄ
２       0         -1.88         7.93E+1      -2.22E+3     3.07E+4
３       0         -1.00        -1.17E+1      -1.90E+2     4.46E+3
４       0         -7.55E-2     -1.63E+2       3.84E+3    -5.85E+4
５       0         -6.61E-1     -2.62         -1.72E+1     2.00E+2
【００７０】
このような条件の下で、ｒ１／ｒ２＝０．２５６となり、（１）式を満足するものであった。また、ｒ１／ＦＬ＝０．４１６となり、（２）式を満足するものであった。さらに、ｆ１／ＦＬ＝０．９７８となり、（３）式を満足するものであった。さらにまた、ｄ２／ｄ１＝０．６８となり、（４）式を満足するものであった。また、ｄ２／ｄ３＝０．６７となり、（５）式を満足するものであった。さらに、ｄ１／ＦＬ＝０．２６となり、（６）式を満足するものであった。さらにまた、ｄ３／ＦＬ＝０．２６となり、（７）式を満足するものであった。また、Ｌ／ＦＬ＝１．１３１となり、（８）式を満足するものであった。
【００７１】
この第１実施例の撮像レンズ１における非点収差およびディストーションを図３に示す。
【００７２】
この結果によれば、非点収差およびディストーションのいずれもほぼ満足できる結果となり、充分な光学特性を得ることができることが分かる。
【００７３】
＜第２実施例＞
図４は、本発明の第２実施例を示したものであり、本実施例においても、第１レンズ３の第１面３ａの面頂（光軸６との交点）およびその近傍部分が絞り２を通して最も物体側に位置している。
【００７４】
この第２実施例の撮像レンズ１は、以下の条件に設定されている。
【００７５】
レンズデータ
Ｌ＝１．６９ｍｍ、ＦＬ＝１．４９６ｍｍ、ｆ１＝１．４６７ｍｍ、ｆ２＝−４６．８８ｍｍ、Ｆｎｏ＝２．８
面番号                     ｒ          ｄ        ｎｄ        νｄ
（物点）
１（絞り）                 ∞       -0.040
２（第１レンズ第１面）    0.620       0.380       1.531         56.0
３（第１レンズ第２面）    2.350       0.260
４（第２レンズ第１面）  -25.000       0.390       1.531         56.0
５（第２レンズ第２面）    0.000
（像面）
面番号   ｋ           Ａ           Ｂ          Ｃ         Ｄ
２       0         -1.88         7.96E+1      -2.24E+3     3.09E+4
３       0         -1.08        -1.06E+1      -2.17E+2     4.66E+3
４       0         -9.78E-2     -1.60E+2       3.79E+3    -5.83E+4
５       0         -5.79E-1     -3.44         -1.29E+1     1.86E+2
【００７６】
このような条件の下で、ｒ１／ｒ２＝０．２６４となり、（１）式を満足するものであった。また、ｒ１／ＦＬ＝０．４１４となり、（２）式を満足するものであった。さらに、ｆ１／ＦＬ＝０．９８１となり、（３）式を満足するものであった。さらにまた、ｄ２／ｄ１＝０．６８となり、（４）式を満足するものであった。また、ｄ２／ｄ３＝０．６７となり、（５）式を満足するものであった。さらに、ｄ１／ＦＬ＝０．２５となり、（６）式を満足するものであった。さらにまた、ｄ３／ＦＬ＝０．２６となり、（７）式を満足するものであった。また、Ｌ／ＦＬ＝１．１３０となり、（８）式を満足するものであった。
【００７７】
この第２実施例の撮像レンズ１における非点収差およびディストーションを図５に示す。
【００７８】
この結果によれば、非点収差およびディストーションのいずれもほぼ満足できる結果となり、充分な光学特性を得ることができることが分かる。
【００７９】
＜第３実施例＞
図６は、本発明の第３実施例を示したものであり、本実施例においても、第１レンズ３の第１面３ａの面頂（光軸６との交点）およびその近傍部分が絞り２を通して最も物体側に位置している。
【００８０】
この第３実施例の撮像レンズ１は、以下の条件に設定されている。
【００８１】
レンズデータ
Ｌ＝１．６８ｍｍ、ＦＬ＝１．４９ｍｍ、ｆ１＝１．４６６ｍｍ、ｆ２＝−５９．４２ｍｍ、Ｆｎｏ＝２．８
面番号                     ｒ          ｄ        ｎｄ        νｄ
（物点）
１（絞り）                 ∞       -0.040
２（第１レンズ第１面）    0.6195      0.380       1.531         56.0
３（第１レンズ第２面）    2.3467      0.260
４（第２レンズ第１面）  -25.8700      0.390       1.531         56.0
５（第２レンズ第２面） -141.6000
（像面）
面番号   ｋ           Ａ           Ｂ          Ｃ         Ｄ
２       0         -1.81         7.89E+1      -2.23E+3     3.09E+4
３       0         -1.27        -1.69         -3.40E+2     5.29E+3
４       0         -8.35E-1     -1.37E+2      3.49E+3    -5.66E+4
５       0         -8.29E-1     -9.67E-1     -1.86E+1     1.55E+2
【００８２】
このような条件の下で、ｒ１／ｒ２＝０．２６４となり、（１）式を満足するものであった。また、ｒ１／ＦＬ＝０．４１６となり、（２）式を満足するものであった。さらに、ｆ１／ＦＬ＝０．９８４となり、（３）式を満足するものであった。さらにまた、ｄ２／ｄ１＝０．６８となり、（４）式を満足するものであった。また、ｄ２／ｄ３＝０．６７となり、（５）式を満足するものであった。さらに、ｄ１／ＦＬ＝０．２６となり、（６）式を満足するものであった。さらにまた、ｄ３／ＦＬ＝０．２６となり、（７）式を満足するものであった。また、Ｌ／ＦＬ＝１．１２８となり、（８）式を満足するものであった。
【００８３】
この第３実施例の撮像レンズ１における非点収差およびディストーションを図７に示す。
【００８４】
この結果によれば、非点収差およびディストーションのいずれもほぼ満足できる結果となり、充分な光学特性を得ることができることが分かる。
【００８５】
＜第４実施例＞
図８は、本発明の第４実施例を示したものであり、本実施例においても、第１レンズ３の第１面３ａの面頂（光軸６との交点）およびその近傍部分が絞り２を通して最も物体側に位置している。
【００８６】
この第４実施例の撮像レンズ１は、以下の条件に設定されている。
【００８７】
レンズデータ
Ｌ＝１．７４ｍｍ、ＦＬ＝１．５６１ｍｍ、ｆ１＝１．５２ｍｍ、ｆ２＝−３４．４１ｍｍ、Ｆｎｏ＝２．８
面番号                     ｒ          ｄ        ｎｄ        νｄ
（物点）
１（絞り）                 ∞       -0.040
２（第１レンズ第１面）    0.630       0.370       1.531         56.0
３（第１レンズ第２面）    2.250       0.260
４（第２レンズ第１面）  -22.500       0.380       1.531         56.0
５（第２レンズ第２面）  100.000
（像面）
面番号   ｋ           Ａ           Ｂ          Ｃ         Ｄ
２       0         -1.85         7.74E+1      -2.20E+3     2.98E+4
３       0         -1.48        -7.51         -2.93E+2     5.17E+3
４       0         -6.43E-1     -1.52E+2      3.70E+3    -5.84E+4
５       0         -6.02E-1     -4.34         -8.84        1.89E+2
【００８８】
このような条件の下で、ｒ１／ｒ２＝０．２８０となり、（１）式を満足するものであった。また、ｒ１／ＦＬ＝０．４０４となり、（２）式を満足するものであった。さらに、ｆ１／ＦＬ＝０．９７４となり、（３）式を満足するものであった。さらにまた、ｄ２／ｄ１＝０．７０となり、（４）式を満足するものであった。また、ｄ２／ｄ３＝０．６８となり、（５）式を満足するものであった。さらに、ｄ１／ＦＬ＝０．２４となり、（６）式を満足するものであった。さらにまた、ｄ３／ＦＬ＝０．２４となり、（７）式を満足するものであった。また、Ｌ／ＦＬ＝１．１１５となり、（８）式を満足するものであった。
【００８９】
この第４実施例の撮像レンズ１における非点収差およびディストーションを図９に示す。
【００９０】
この結果によれば、非点収差およびディストーションのいずれもほぼ満足できる結果となり、充分な光学特性を得ることができることが分かる。
【００９１】
＜第５実施例＞
図１０は、本発明の第５実施例を示したものであり、本実施例においても、第１レンズ３の第１面３ａの面頂（光軸６との交点）およびその近傍部分が絞り２を通して最も物体側に位置している。
【００９２】
この第５実施例の撮像レンズ１は、以下の条件に設定されている。
【００９３】
レンズデータ
Ｌ＝１．７２ｍｍ、ＦＬ＝１．５４２ｍｍ、ｆ１＝１．５１ｍｍ、ｆ２＝−４６．８８ｍｍ、Ｆｎｏ＝２．８
面番号                     ｒ          ｄ        ｎｄ        νｄ
（物点）
１（絞り）                 ∞       -0.040
２（第１レンズ第１面）    0.625       0.380       1.531         56.0
３（第１レンズ第２面）    2.200       0.240
４（第２レンズ第１面）  -25.000       0.370       1.531         56.0
５（第２レンズ第２面）    0.000
（像面）
面番号   ｋ           Ａ           Ｂ          Ｃ         Ｄ
２       0         -1.91         7.92E+1      -2.24E+3     3.06E+4
３       0         -1.54        -1.07E+1      -2.74E+2     5.03E+3
４       0         -5.41E-1     -1.69E+2      4.03E+3     -6.11E+4
５       0         -6.29E-1     -5.21         -2.94E-1     1.67E+2
【００９４】
このような条件の下で、ｒ１／ｒ２＝０．２８４となり、（１）式を満足するものであった。また、ｒ１／ＦＬ＝０．４０５となり、（２）式を満足するものであった。さらに、ｆ１／ＦＬ＝０．９７９となり、（３）式を満足するものであった。さらにまた、ｄ２／ｄ１＝０．６３となり、（４）式を満足するものであった。また、ｄ２／ｄ３＝０．６５となり、（５）式を満足するものであった。さらに、ｄ１／ＦＬ＝０．２５となり、（６）式を満足するものであった。さらにまた、ｄ３／ＦＬ＝０．２４となり、（７）式を満足するものであった。また、Ｌ／ＦＬ＝１．１１５となり、（８）式を満足するものであった。
【００９５】
この第５実施例の撮像レンズ１における非点収差およびディストーションを図１１に示す。
【００９６】
この結果によれば、非点収差およびディストーションのいずれもほぼ満足できる結果となり、充分な光学特性を得ることができることが分かる。
【００９７】
＜第６実施例＞
図１２は、本発明の第６実施例を示したものであり、本実施例においても、第１レンズ３の第１面３ａの面頂（光軸６との交点）およびその近傍部分が絞り２を通して最も物体側に位置している。
【００９８】
この第６実施例の撮像レンズ１は、以下の条件に設定されている。
【００９９】
レンズデータ
Ｌ＝１．７３ｍｍ、ＦＬ＝１．５４１ｍｍ、ｆ１＝１．５１５ｍｍ、ｆ２＝−６２．６２ｍｍ、Ｆｎｏ＝２．８
面番号                     ｒ          ｄ        ｎｄ        νｄ
（物点）
１（絞り）                 ∞       -0.040
２（第１レンズ第１面）    0.625       0.380       1.531         56.0
３（第１レンズ第２面）    2.175       0.260
４（第２レンズ第１面）  -25.000       0.390       1.531         56.0
５（第２レンズ第２面） -100.000
（像面）
面番号   ｋ           Ａ           Ｂ          Ｃ         Ｄ
２       0         -1.82         7.83E+1      -2.21E+3     3.00E+4
３       0         -1.25        -7.28         -2.75E+2     5.02E+3
４       0         -4.85E-1     -1.46E+2      3.58E+3     -5.73E+4
５       0         -6.14E-1     -2.56         -2.13E+1     2.22E+2
【０１００】
このような条件の下で、ｒ１／ｒ２＝０．２８７となり、（１）式を満足するものであった。また、ｒ１／ＦＬ＝０．４０６となり、（２）式を満足するものであった。さらに、ｆ１／ＦＬ＝０．９８３となり、（３）式を満足するものであった。さらにまた、ｄ２／ｄ１＝０．６８となり、（４）式を満足するものであった。また、ｄ２／ｄ３＝０．６７となり、（５）式を満足するものであった。さらに、ｄ１／ＦＬ＝０．２５となり、（６）式を満足するものであった。さらにまた、ｄ３／ＦＬ＝０．２５となり、（７）式を満足するものであった。また、Ｌ／ＦＬ＝１．１２３となり、（８）式を満足するものであった。
【０１０１】
この第６実施例の撮像レンズ１における非点収差およびディストーションを図１３に示す。
【０１０２】
この結果によれば、非点収差およびディストーションのいずれもほぼ満足できる結果となり、充分な光学特性を得ることができることが分かる。
【０１０３】
＜第７実施例＞
図１４は、本発明の第７実施例を示したものであり、本実施例においても、第１レンズ３の第１面３ａの面頂（光軸６との交点）およびその近傍部分が絞り２を通して最も物体側に位置している。
【０１０４】
この第７実施例の撮像レンズ１は、以下の条件に設定されている。
【０１０５】
レンズデータ
Ｌ＝１．７４ｍｍ、ＦＬ＝１．５５７ｍｍ、ｆ１＝１．５３１ｍｍ、ｆ２＝−６２．６２ｍｍ、Ｆｎｏ＝２．８
面番号                     ｒ          ｄ        ｎｄ        νｄ
（物点）
１（絞り）                 ∞       -0.040
２（第１レンズ第１面）    0.625       0.380       1.531         56.0
３（第１レンズ第２面）    2.100       0.260
４（第２レンズ第１面）  -25.000       0.390       1.531         56.0
５（第２レンズ第２面） -100.000
（像面）
面番号   ｋ           Ａ           Ｂ          Ｃ         Ｄ
２       0         -1.78         7.65E+1      -2.14E+3     2.89E+4
３       0         -1.35        -1.54         -3.57E+2     5.49E+3
４       0         -1.02        -1.25E+2      3.26E+3     -5.54E+4
５       0         -7.43E-1     -2.87          1.85         3.79E+1
【０１０６】
このような条件の下で、ｒ１／ｒ２＝０．２９８となり、（１）式を満足するものであった。また、ｒ１／ＦＬ＝０．４０１となり、（２）式を満足するものであった。さらに、ｆ１／ＦＬ＝０．９８３となり、（３）式を満足するものであった。さらにまた、ｄ２／ｄ１＝０．６８となり、（４）式を満足するものであった。また、ｄ２／ｄ３＝０．６７となり、（５）式を満足するものであった。さらに、ｄ１／ＦＬ＝０．２４となり、（６）式を満足するものであった。さらにまた、ｄ３／ＦＬ＝０．２５となり、（７）式を満足するものであった。また、Ｌ／ＦＬ＝１．１１８となり、（８）式を満足するものであった。
【０１０７】
この第７実施例の撮像レンズ１における非点収差およびディストーションを図１５に示す。
【０１０８】
この結果によれば、非点収差およびディストーションのいずれもほぼ満足できる結果となり、充分な光学特性を得ることができることが分かる。
【０１０９】
＜第８実施例＞
図１６は、本発明の第８実施例を示したものであり、本実施例においても、第１レンズ３の第１面３ａの面頂（光軸６との交点）およびその近傍部分が絞り２を通して最も物体側に位置している。
【０１１０】
この第８実施例の撮像レンズ１は、以下の条件に設定されている。
【０１１１】
レンズデータ
Ｌ＝１．３４ｍｍ、ＦＬ＝１．２０６ｍｍ、ｆ１＝１．１８ｍｍ、ｆ２＝−３２．１２ｍｍ、Ｆｎｏ＝２．８
面番号                     ｒ          ｄ        ｎｄ        νｄ
（物点）
１（絞り）                 ∞       -0.030
２（第１レンズ第１面）    0.480       0.290       1.531         56.0
３（第１レンズ第２面）    1.600       0.200
４（第２レンズ第１面）  -20.000       0.300       1.531         56.0
５（第２レンズ第２面）  120.000
（像面）
面番号   ｋ           Ａ           Ｂ          Ｃ         Ｄ
２       0         -3.95         2.91E+2      -1.38E+4     3.19E+5
３       0         -3.01        -5.84         -2.31E+3     6.06E+4
４       0         -2.27        -4.74E+2       2.11E+4    -6.11E+5
５       0         -1.65        -1.09E+1       1.20E+1     4.19E+2
【０１１２】
このような条件の下で、ｒ１／ｒ２＝０．３００となり、（１）式を満足するものであった。また、ｒ１／ＦＬ＝０．３９８となり、（２）式を満足するものであった。さらに、ｆ１／ＦＬ＝０．９７８となり、（３）式を満足するものであった。さらにまた、ｄ２／ｄ１＝０．６９となり、（４）式を満足するものであった。また、ｄ２／ｄ３＝０．６７となり、（５）式を満足するものであった。さらに、ｄ１／ＦＬ＝０．２４となり、（６）式を満足するものであった。さらにまた、ｄ３／ＦＬ＝０．２５となり、（７）式を満足するものであった。また、Ｌ／ＦＬ＝１．１１１となり、（８）式を満足するものであった。
【０１１３】
この第８実施例の撮像レンズ１における非点収差およびディストーションを図１７に示す。
【０１１４】
この結果によれば、非点収差およびディストーションのいずれもほぼ満足できる結果となり、充分な光学特性を得ることができることが分かる。
【０１１５】
＜第９実施例＞
図１８は、本発明の第９実施例を示したものであり、本実施例においても、第１レンズ３の第１面３ａの面頂（光軸６との交点）およびその近傍部分が絞り２を通して最も物体側に位置している。
【０１１６】
この第９実施例の撮像レンズ１は、以下の条件に設定されている。
【０１１７】
レンズデータ
Ｌ＝１．８０ｍｍ、ＦＬ＝１．６３３ｍｍ、ｆ１＝１．６０４ｍｍ、ｆ２＝−６２．６２ｍｍ、Ｆｎｏ＝２．８
面番号                     ｒ          ｄ        ｎｄ        νｄ
（物点）
１（絞り）                 ∞       -0.040
２（第１レンズ第１面）    0.6329      0.380       1.531         56.0
３（第１レンズ第２面）    1.9231      0.260
４（第２レンズ第１面）  -25.0000      0.390       1.531         56.0
５（第２レンズ第２面） -100.0000
（像面）
面番号   ｋ           Ａ           Ｂ          Ｃ         Ｄ
２       0         -1.54         6.11E+1      -1.70E+3     2.31E+4
３       0         -1.34        -5.72         -2.41E+2     4.03E+3
４       0         -1.41       -1.07E+2        2.97E+3    -5.37E+4
５       0         -1.03         2.49          -4.80E+1     2.92E+2
【０１１８】
このような条件の下で、ｒ１／ｒ２＝０．３２９となり、（１）式を満足するものであった。また、ｒ１／ＦＬ＝０．３８８となり、（２）式を満足するものであった。さらに、ｆ１／ＦＬ＝０．９８２となり、（３）式を満足するものであった。さらにまた、ｄ２／ｄ１＝０．６８となり、（４）式を満足するものであった。また、ｄ２／ｄ３＝０．６７となり、（５）式を満足するものであった。さらに、ｄ１／ＦＬ＝０．２３となり、（６）式を満足するものであった。さらにまた、ｄ３／ＦＬ＝０．２４となり、（７）式を満足するものであった。また、Ｌ／ＦＬ＝１．１０２となり、（８）式を満足するものであった。
【０１１９】
この第９実施例の撮像レンズ１における非点収差およびディストーションを図１９に示す。
【０１２０】
この結果によれば、非点収差およびディストーションのいずれもほぼ満足できる結果となり、充分な光学特性を得ることができることが分かる。
【０１２１】
＜第１０実施例＞
図２０は、本発明の第１０実施例を示したものであり、本実施例においても、第１レンズ３の第１面３ａの面頂（光軸６との交点）およびその近傍部分が絞り２を通して最も物体側に位置している。
【０１２２】
この第１０実施例の撮像レンズ１は、以下の条件に設定されている。
【０１２３】
レンズデータ
Ｌ＝１．３３ｍｍ、ＦＬ＝１．２１３ｍｍ、ｆ１＝１．１８３ｍｍ、ｆ２＝−２８．５８ｍｍ、Ｆｎｏ＝２．８
面番号                     ｒ          ｄ        ｎｄ        νｄ
（物点）
１（絞り）                 ∞       -0.030
２（第１レンズ第１面）    0.465       0.280       1.531         56.0
３（第１レンズ第２面）    1.400       0.190
４（第２レンズ第１面）  -18.000       0.285       1.531         56.0
５（第２レンズ第２面）  100.000
（像面）
面番号   ｋ           Ａ           Ｂ          Ｃ         Ｄ
２       0         -3.89         2.85E+2      -1.47E+4     3.71E+5
３       0         -3.38        -2.67E+1      -2.08E+3     6.46E+4
４       0         -3.56       -4.99E+2        2.57E+4    -8.60E+5
５       0         -2.59         1.16E+1      -4.15E+2     4.67E+3
【０１２４】
このような条件の下で、ｒ１／ｒ２＝０．３３２となり、（１）式を満足するものであった。また、ｒ１／ＦＬ＝０．３８３となり、（２）式を満足するものであった。さらに、ｆ１／ＦＬ＝０．９７５となり、（３）式を満足するものであった。さらにまた、ｄ２／ｄ１＝０．６８となり、（４）式を満足するものであった。また、ｄ２／ｄ３＝０．６７となり、（５）式を満足するものであった。さらに、ｄ１／ＦＬ＝０．２３となり、（６）式を満足するものであった。さらにまた、ｄ３／ＦＬ＝０．２３となり、（７）式を満足するものであった。また、Ｌ／ＦＬ＝１．０９６となり、（８）式を満足するものであった。
【０１２５】
この第１０実施例の撮像レンズ１における非点収差およびディストーションを図２１に示す。
【０１２６】
この結果によれば、非点収差およびディストーションのいずれもほぼ満足できる結果となり、充分な光学特性を得ることができることが分かる。
【０１２７】
＜第１１実施例＞
図２２は、本発明の第１１実施例を示したものであり、本実施例においても、第１レンズ３の第１面３ａの面頂（光軸６との交点）およびその近傍部分が絞り２を通して最も物体側に位置している。
【０１２８】
この第１１実施例の撮像レンズ１は、以下の条件に設定されている。
【０１２９】
レンズデータ
Ｌ＝１．３８ｍｍ、ＦＬ＝１．２６６ｍｍ、ｆ１＝１．２３７ｍｍ、ｆ２＝−３３．７５ｍｍ、Ｆｎｏ＝２．８
面番号                     ｒ          ｄ        ｎｄ        νｄ
（物点）
１（絞り）                 ∞       -0.030
２（第１レンズ第１面）    0.475       0.280       1.531         56.0
３（第１レンズ第２面）    1.350       0.190
４（第２レンズ第１面）  -18.000       0.280       1.531         56.0
５（第２レンズ第２面）    0.000
（像面）
面番号   ｋ           Ａ           Ｂ          Ｃ         Ｄ
２       0         -3.56         2.56E+2      -1.33E+4     3.38E+5
３       0         -4.09         1.14E+1      -3.17E+3     7.59E+4
４       0         -4.57       -4.49E+2        2.44E+4    -8.48E+5
５       0         -2.62         1.34E+1      -4.52E+2     4.88E+3
【０１３０】
このような条件の下で、ｒ１／ｒ２＝０．３５２となり、（１）式を満足するものであった。また、ｒ１／ＦＬ＝０．３７５となり、（２）式を満足するものであった。さらに、ｆ１／ＦＬ＝０．９７７となり、（３）式を満足するものであった。さらにまた、ｄ２／ｄ１＝０．６８となり、（４）式を満足するものであった。また、ｄ２／ｄ３＝０．６８となり、（５）式を満足するものであった。さらに、ｄ１／ＦＬ＝０．２２となり、（６）式を満足するものであった。さらにまた、ｄ３／ＦＬ＝０．２２となり、（７）式を満足するものであった。また、Ｌ／ＦＬ＝１．０９０となり、（８）式を満足するものであった。
【０１３１】
この第１１実施例の撮像レンズ１における非点収差およびディストーションを図２３に示す。
【０１３２】
この結果によれば、非点収差およびディストーションのいずれもほぼ満足できる結果となり、充分な光学特性を得ることができることが分かる。
【０１３３】
＜第１２実施例＞
図２４は、本発明の第１２実施例を示したものであり、本実施例においても、第１レンズ３の第１面３ａの面頂（光軸６との交点）およびその近傍部分が絞り２を通して最も物体側に位置している。
【０１３４】
この第１２実施例の撮像レンズ１は、以下の条件に設定されている。
【０１３５】
レンズデータ
Ｌ＝１．８９ｍｍ、ＦＬ＝１．７３４ｍｍ、ｆ１＝１．７２１ｍｍ、ｆ２＝−１８８ｍｍ、Ｆｎｏ＝２．８
面番号                     ｒ          ｄ        ｎｄ        νｄ
（物点）
１（絞り）                 ∞       -0.040
２（第１レンズ第１面）    0.645       0.380       1.531         56.0
３（第１レンズ第２面）    1.725       0.260
４（第２レンズ第１面）  -50.000       0.390       1.531         56.0
５（第２レンズ第２面） -100.000
（像面）
面番号   ｋ           Ａ           Ｂ          Ｃ         Ｄ
２       0         -8.42E-1     1.51E+1       -2.70E+2     9.20E+2
３       0         -1.25       -2.38E+1        3.66E+2    -5.27E+3
４       0         -2.42       -7.03E+1        2.42E+3    -5.07E+4
５       0         -1.12        2.09           -2.38E+1     5.27E+1
【０１３６】
このような条件の下で、ｒ１／ｒ２＝０．３７４となり、（１）式を満足するものであった。また、ｒ１／ＦＬ＝０．３７２となり、（２）式を満足するものであった。さらに、ｆ１／ＦＬ＝０．９９３となり、（３）式を満足するものであった。さらにまた、ｄ２／ｄ１＝０．６８となり、（４）式を満足するものであった。また、ｄ２／ｄ３＝０．６７となり、（５）式を満足するものであった。さらに、ｄ１／ＦＬ＝０．２２となり、（６）式を満足するものであった。さらにまた、ｄ３／ＦＬ＝０．２２となり、（７）式を満足するものであった。また、Ｌ／ＦＬ＝１．０９０となり、（８）式を満足するものであった。
【０１３７】
この第１２実施例の撮像レンズ１における非点収差およびディストーションを図２５に示す。
【０１３８】
この結果によれば、非点収差およびディストーションのいずれもほぼ満足できる結果となり、充分な光学特性を得ることができることが分かる。
【０１３９】
＜第１３実施例＞
図２６は、本発明の第１３実施例を示したものであり、本実施例においても、第１レンズ３の第１面３ａの面頂（光軸６との交点）およびその近傍部分が絞り２を通して最も物体側に位置している。
【０１４０】
この第１３実施例の撮像レンズ１は、以下の条件に設定されている。
【０１４１】
レンズデータ
Ｌ＝１．９５ｍｍ、ＦＬ＝１．８１６ｍｍ、ｆ１＝１．７７６ｍｍ、ｆ２＝−４８．８２ｍｍ、Ｆｎｏ＝２．８
面番号                     ｒ          ｄ        ｎｄ        νｄ
（物点）
１（絞り）                 ∞       -0.040
２（第１レンズ第１面）    0.650       0.380       1.531         56.0
３（第１レンズ第２面）    1.650       0.260
４（第２レンズ第１面）  -50.000       0.390       1.531         56.0
５（第２レンズ第２面）   50.000
（像面）
面番号   ｋ           Ａ           Ｂ          Ｃ         Ｄ
２       0         -5.42E-1     3.24E-1        4.46E+1    -2.33E+3
３       0         -1.53       -2.29E+1        3.56E+2    -4.94E+3
４       0         -3.19       -5.34E+1        2.15E+3    -4.93E+4
５       0         -1.01       -2.28            2.64E+1    -2.73E+2
【０１４２】
このような条件の下で、ｒ１／ｒ２＝０．３９４となり、（１）式を満足するものであった。また、ｒ１／ＦＬ＝０．３５８となり、（２）式を満足するものであった。さらに、ｆ１／ＦＬ＝０．９７８となり、（３）式を満足するものであった。さらにまた、ｄ２／ｄ１＝０．６８となり、（４）式を満足するものであった。また、ｄ２／ｄ３＝０．６７となり、（５）式を満足するものであった。さらに、ｄ１／ＦＬ＝０．２１となり、（６）式を満足するものであった。さらにまた、ｄ３／ＦＬ＝０．２１となり、（７）式を満足するものであった。また、Ｌ／ＦＬ＝１．０７４となり、（８）式を満足するものであった。
【０１４３】
この第１３実施例の撮像レンズ１における非点収差およびディストーションを図２７に示す。
【０１４４】
この結果によれば、非点収差およびディストーションのいずれもほぼ満足できる結果となり、充分な光学特性を得ることができることが分かる。
【０１４５】
なお、本発明は前記実施例のものに限定されるものではなく、必要に応じて種々変更することが可能である。
【図面の簡単な説明】
【０１４６】
【図１】本発明に係る撮像レンズの実施の一形態を示す概略構成図
【図２】本発明に係る撮像レンズの第１実施例を示す概略構成図
【図３】図２に示す撮像レンズにおける非点収差およびディストーションを示す説明図
【図４】本発明に係る撮像レンズの第２実施例を示す概略構成図
【図５】図４に示す撮像レンズにおける非点収差およびディストーションを示す説明図
【図６】本発明に係る撮像レンズの第３実施例を示す概略構成図
【図７】図６に示す撮像レンズにおける非点収差およびディストーションを示す説明図
【図８】本発明に係る撮像レンズの第４実施例を示す概略構成図
【図９】図８に示す撮像レンズにおける非点収差およびディストーションを示す説明図
【図１０】本発明に係る撮像レンズの第５実施例を示す概略構成図
【図１１】図１０に示す撮像レンズにおける非点収差およびディストーションを示す説明図
【図１２】本発明に係る撮像レンズの第６実施例を示す概略構成図
【図１３】図１２に示す撮像レンズにおける非点収差およびディストーションを示す説明図
【図１４】本発明に係る撮像レンズの第７実施例を示す概略構成図
【図１５】図１４に示す撮像レンズにおける非点収差およびディストーションを示す説明図
【図１６】本発明に係る撮像レンズの第８実施例を示す概略構成図
【図１７】図１６に示す撮像レンズにおける非点収差およびディストーションを示す説明図
【図１８】本発明に係る撮像レンズの第９実施例を示す概略構成図
【図１９】図１８に示す撮像レンズにおける非点収差およびディストーションを示す説明図
【図２０】本発明に係る撮像レンズの第１０実施例を示す概略構成図
【図２１】図２０に示す撮像レンズにおける非点収差およびディストーションを示す説明図
【図２２】本発明に係る撮像レンズの第１１実施例を示す概略構成図
【図２３】図２２に示す撮像レンズにおける非点収差およびディストーションを示す説明図
【図２４】本発明に係る撮像レンズの第１２実施例を示す概略構成図
【図２５】図２４に示す撮像レンズにおける非点収差およびディストーションを示す説明図
【図２６】本発明に係る撮像レンズの第１３実施例を示す概略構成図
【図２７】図２６に示す撮像レンズにおける非点収差およびディストーションを示す説明図
【符号の説明】
【０１４７】
１  撮像レンズ
２  絞り
３  第１レンズ
４  第２レンズ
５  撮像面
【図１】
2010101942.tif 000003
【図２】
2010101942.tif 000004
【図３】
2010101942.tif 000005
【図４】
2010101942.tif 000006
【図５】
2010101942.tif 000007
【図６】
2010101942.tif 000008
【図７】
2010101942.tif 000009
【図８】
2010101942.tif 000010
【図９】
2010101942.tif 000011
【図１０】
2010101942.tif 000012
【図１１】
2010101942.tif 000013
【図１２】
2010101942.tif 000014
【図１３】
2010101942.tif 000015
【図１４】
2010101942.tif 000016
【図１５】
2010101942.tif 000017
【図１６】
2010101942.tif 000018
【図１７】
2010101942.tif 000019
【図１８】
2010101942.tif 000020
【図１９】
2010101942.tif 000021
【図２０】
2010101942.tif 000022
【図２１】
2010101942.tif 000023
【図２２】
2010101942.tif 000024
【図２３】
2010101942.tif 000025
【図２４】
2010101942.tif 000026
【図２５】
2010101942.tif 000027
【図２６】
2010101942.tif 000028
【図２７】
2010101942.tif 000029